(57)【要約】      （修正有）【課題】タイルに簡単、かつ緩みやガタが生じることなくしっかりと取り付け、タイルを建物の構造壁面に強固に取り付けるタイルの取付部材を提供する。【解決手段】建物の構造壁面２に固定される取付板６と、タイル７の裏面１２に形成された係合溝８に係合して取り付けられるタイル取付具１１と、フック部１８と、を備えたタイル取付部材４を使用して、タイル７を建物の構造壁面２に固定してタイルの取付構造１を構成する。フック部１８の横幅をタイル取付具１１の横幅より大きく形成して、フック部１８を、より安定して取付板６に係合するとともに、タイル７の裏面により長く当接可能とする。【選択図】図１
0003189682.tif 000002
【実用新案登録請求の範囲】
【請求項１】
建物の構造壁面に固定される取付板とタイル取付具を備え、タイル取付具を取付板に取り付けてタイルを建物の構造壁面に固定するタイル取付部材であって、
タイル取付具は、タイルに取り付けられる板状の取付具本体と、取付板に引っ掛けるフック部から成り、
取付具本体は、タイルの裏面に互いに上下方向に間隔をおいてタイルの横幅方向に伸びるように形成された上側係合溝と下側係合溝に、それぞれ係合する上側係合部と下側係合部とを有し、
フック部の横幅は、取付具本体の横幅より大きく形成されていることを特徴とするタイルの取付部材。
【請求項２】
上側係合溝は、タイルの裏面から斜め上方に向け傾斜して深くなるように形成されており、
下側係合溝は、斜め上方に向け傾斜した傾斜上面と、水平下面と、下側係合溝の最奥部に位置する垂直面とを備え、断面が台形状に形成されており、
上側係合部は、タイルの上側係合溝と係合するように、取付具本体の上端部が斜め上方に向けて屈曲して形成された傾斜部から成り、 
下側係合部は、タイルの下側係合溝と係合するように、取付具本体の下端部が水平に屈曲して形成された水平部及び該水平部からさらに垂直に屈曲して形成された垂直部とから成ることを特徴とする請求項１に記載のタイルの取付部材。
【請求項３】
上側係合溝と下側係合溝は、それぞれタイルの裏面から斜め上方に向け傾斜して深くなるように形成されており、
上側係合部は、取付具本体の上端部が斜め上方に向けて屈曲して形成された傾斜片から成り、 
下側係合部は、取付具本体の下端部が、上下方向に切り込みが入れられ、かつ斜め上方に向けてフック状に折り返されて形成された係合用折返し片と弾接用折返し片から成り、
係合用折返し片と取付具本体のなす角度である係合用折返し片の折返し角度は、タイルの裏面と下側係合溝のなす角度とほぼ同じに形成され、係合用折返し片が下側係合溝に沿うように構成されており、
弾接用折返し片と取付具本体のなす角度である弾接用折返し片の折返し角度は、係合用折返し片の折返し角度より大きく形成されており、下側係合溝の下面に弾力的に当接するように構成されていることを特徴とする請求項１に記載のタイル取付部材。
【請求項４】
上側係合溝と下側係合溝は、それぞれタイルの裏面から斜め上方に向け傾斜して深くなるように形成されており、
上側係合部は、取付具本体の上端部が上下方向に切り込みが入れられ、さらに斜め上方に向けて屈曲されて形成された係合用傾斜片と弾接用傾斜片から成り、
係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、
弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されており、 
下側係合部は、取付具本体の下端部が、斜め上方に向けてフック状に折り返されて形成された折返し片から成ることを特徴とする請求項１に記載のタイル取付部材。
【考案の詳細な説明】
【技術分野】
【０００１】
本考案は、タイルの取付部材に関し、特に、建物のコンクリート等の構造壁面にタイルを取り付けるタイルの取付部材に関する。
【背景技術】
【０００２】
従来、タイルを、建物のコンクリート等の構造壁面に取り付ける取付手段として、通常は、タイルの裏面に溝を形成し、タイルの裏面と構造壁面との間に、タイルの裏面の溝内も含め、モルタル等の接着材料を充填し、タイルを構造壁面に接着することが行われていた（特許文献１参照）。
【０００３】
また、別の取付手段として、タイルの裏面に取付孔を形成し、この取付孔に、取付部材を挿入し、この取付部材に取付ボルトを螺着して、このボルトによって支持金具等を介してコンクリート等の構造壁面に取り付ける取付構造が知られている。
【０００４】
このような取付構造の具体的な従来例として、大型タイルの裏面に形成され底部に開拡状の係合凹部を有する取付孔に、割り溝を有する留め部材を挿入し、留め部材の内径部に取付ボルトをねじ込み、留め部材を開拡して係合凹部に係合させて保持し、大型タイルに取付金具を取り付ける構造が知られている（特許文献２参照）。
【０００５】
磁器質タイル等の壁面材の裏面に形成され底部に開拡状の係止部を有する取付孔に、スリット状の溝部を有する胴部を挿入し、胴部にねじ部材をねじ込み開拡して、胴部の先端側の凸部を係止部に係合させて保持し、壁面材に吊持金具を取り付ける構造が知られている（特許文献３）。
【０００６】
大型タイルの裏面に形成され底部に拡径部を有する取付孔に、割り溝を有するアンカーナットを挿入し、アンカーナットに座付ボルトをねじ込み、アンカーナットの拡径部を開拡して取付孔の底部に係合させて保持し、大型タイルに固定金具を取り付ける構造が知られている（特許文献４参照）。
【０００７】
タイルの裏面に形成され奥部に広がった底部を有する取付孔に、割溝を有する取付部材を挿入し、取付部材の内径部に固定ピンをねじ込み、取付部材を開拡して保持し、タイルに取付部材を取り付ける構造が知られている（特許文献５参照）。
【０００８】
さらに別の取り付け手段として、タイルの裏面に溝を形成し、この溝に取付具の一部を差し込んで取り付け、この取付具を介して建物の構造壁面に固定するタイルの取付構造が知られている。
【０００９】
例えば、タイルの裏面に縦断面形状がアリ状の保持溝を幅方向に刻み込み、壁に固定された取付け部材に連結するための固定具を保持溝の側部から差し込み、この固定具を保持溝の最奥部の底部面及びその上下に位置して背部方向にテーパ収斂する係合面に当てる３面拘束としてタイルに接合する構成が知られている（特許文献６参照）。
【００１０】
また、水平方向に複数条のタイル掛止部を設け金属板を建物の躯体壁面にビス留めして、これらの掛止部に、裏面に溝の形成されたタイルをその溝を掛けて取り付ける構造が知られている（特許文献７参照）。
【００１１】
また、建築物の壁面にタイル装着部材をアンカーボルトを用いて固定し、このタイル装着部材の係合部をタイルの裏面に設けられた凹溝に係合してモルタルを流し込んでタイルを固定する構成が知られている（特許文献８参照）。
【００１２】
外壁材下部を水平方向に支持する下部切り欠き片と、外壁材上部を水平方向に固定する上部切り欠き片から成る切り欠き片対を有し、本体が長尺状の外壁材取り付け具が知られている（特許文献９参照）。
【００１３】
タイル取り付け面にタイル支持用の係止溝が上下方向に所定間隔をあけて水平方向に全幅にわたり凹設された下地パネルに、タイル裏面に設けた突起を係止溝に嵌入させて取り付けたタイル取付構造において、突起の上面を係止溝内の上側の内壁に弾性的に押接するバネ部材を配置した構成、及び係止溝内の上側の内壁と該内壁に当接するタイルの突起の上面とを凹凸嵌合した構成が知られている（特許文献１０参照）。
【００１４】
ところで、本出願人は、建物の構造壁面にねじ等の固定具で固定された取付板と、タイルの裏面に形成された係合溝に係合して取り付けられるタイル取付具とによって、タイルが建物の構造壁面に固定して、タイルの取付構造を提案した（特許文献１１、１２）。
【先行技術文献】
【特許文献】
【００１５】
【特許文献１】特開２０１０−１３８８７号公報（図１参照）
【特許文献２】特開平６−２６４５９４号公報（図４参照）
【特許文献３】特開平７−５４４６１号公報（図６参照）
【特許文献４】特開平１０−２０５０５８号公報（図３、図４参照）
【特許文献５】特開平９−１２５６５３号公報（図２、図３参照）
【特許文献６】特開平７−２７９３６１号公報（図１参照）
【特許文献７】特開２００４−２４４８５２号公報（図６参照）
【特許文献８】特開平８−１３５１３７号公報（図１参照）
【特許文献９】特開平１１−２２９５８６号公報（図１参照）
【特許文献１０】特公平７−１００９６７号公報（第１図、第５図参照）
【特許文献１１】特開２０１３−０９１９６７号公報
【特許文献１２】特開２０１３−１２４４８８号公報
【考案の概要】
【考案が解決しようとする課題】
【００１６】
従来のタイルの取付手段において、タイルとコンクリート等の構造壁面の間にモルタル等を充填してタイルを構造壁面に固定する手段は、モルタルの充填のための作業が必要であり、取付作業は必ずしも効率的ではない。
【００１７】
また、タイル裏面の取付孔に挿入した取付部材に、取付ボルトを螺着して、この取付ボルトによって支持金具等を介してコンクリート等の構造壁面に取り付ける従来の取付構造は、上記モルタル等で接着する取付手段に較べると作業効率は改善される。
【００１８】
しかしながら、前記特許文献１〜４の取付構造のいずれも、タイルの裏面に形成された取付孔に取付部材（留め部材、胴部、アンカーナット等）を挿入して、その取付部材に取付ボルトをねじ込む構成であるから、取付ボルトをねじ込むためにはタイルの裏面に、ドリル等の工具を利用して、ある程度深く孔をあけなくてはならない。すると、タイルが破損する恐れが生じる。特に、タイルが比較的薄い場合等は、その恐れが強い。
【００１９】
さらに、市販の取付ボルトを使用した場合には、開拡した取付部材の内径に形成されたねじに、ぴったりとスムースに螺着しにくい可能性もあり、螺着できたとしても、取付ボルトと取付部材の内径に形成されたねじとの間に緩みや隙間が生じ、強固に固定しにくいという可能性もある。
【００２０】
また、従来例において、特許文献５〜１０に開示されているように、タイルの裏面に溝を形成し、この溝に取付具の一部を差し込んで取り付け、この取付具を介して建物の構造壁面に固定するタイルの取付構造は、取付具をタイルへの取り付けするためにねじを使用しないので、孔あけによる破損は生じない。
【００２１】
しかしながら、従来例では、タイルの裏面の溝への取付具の取付構造は、簡単に装着でき、しっかりと取り付けられるためには、必ずしも十分とは言えず、さらに改良の余地があるものと考えられる。
【００２２】
特に、特許文献１０記載のタイル取付構造は、下地パネルに凹設された係止溝はタイルに対して一条であり、バネ部材で下方から上方に常時持ち上げていないと、タイルははずれてしまう構造である（バネ部材を発明の必須の構成要件としている）ことから見ても、取付の安定性という点で万全ではないものと考えられる。
【００２３】
また、係止溝内の上側の内壁と該内壁に当接するタイルの突起の上面とを凹凸嵌合した構成は、取付の安定性を図ったものと考えられるが、係止溝内の上側の内壁に凹凸面を形成することは、簡単に切削加工できるものではない。
【００２４】
ところで、上記従来技術として挙げた引用文献１１、１２では、タイル取付具は、タイル取付具本体とフック部を有し、フック部の横幅はタイル取付具本体と略同幅である。しかしながら、タイルの面積が大きくなると、フック部の横幅はタイル取付具本体と略同幅であるとタイルの取付け状態が不安定となり、これを解消するためには、少なくともタイルの横幅方向に、より数多くのタイル取付具を使用する必要がある。
【００２５】
本考案は、上記従来の問題を解決することを目的とするものであり、タイルにタイル取付具を簡単に、しかも緩みやガタが生じることなくしっかりと取り付けることができ、その結果、タイルを建物の構造壁面に、簡単な作業で、強固に固定することができるタイルの取付構造を実現することを課題とする。
【課題を解決するための手段】
【００２６】
本考案は上記課題を解決するために、建物の構造壁面に固定される取付板とタイル取付具を備え、タイル取付具を取付板に取り付けてタイルを建物の構造壁面に固定するタイル取付部材であって、タイル取付具は、タイルに取り付けられる板状の取付具本体と、取付板に引っ掛けるフック部から成り、取付具本体は、タイルの裏面に互いに上下方向に間隔をおいてタイルの横幅方向に伸びるように形成された上側係合溝と下側係合溝に、それぞれ係合する上側係合部と下側係合部とを有し、フック部の横幅は、取付具本体の横幅より大きく形成されていることを特徴とするタイルの取付構造を提供する。
【００２７】
上側係合溝は、タイルの裏面から斜め上方に向け傾斜して深くなるように形成されており、下側係合溝は、斜め上方に向け傾斜した傾斜上面と、水平下面と、下側係合溝の最奥部に位置する垂直面とを備え、断面が台形状に形成されており、上側係合部は、タイルの上側係合溝と係合するように、取付具本体の上端部が斜め上方に向けて屈曲して形成された傾斜部から成り、下側係合部は、タイルの下側係合溝と係合するように、取付具本体の下端部が水平に屈曲して形成された水平部及び該水平部からさらに垂直に屈曲して形成された垂直部とから成ることが好ましい。
【００２８】
上側係合溝と下側係合溝は、それぞれタイルの裏面から斜め上方に向け傾斜して深くなるように形成されており、上側係合部は、取付具本体の上端部が斜め上方に向けて屈曲して形成された傾斜片から成り、下側係合部は、取付具本体の下端部が、上下方向に切り込みが入れられ、かつ斜め上方に向けてフック状に折り返されて形成された係合用折返し片と弾接用折返し片から成り、係合用折返し片と取付具本体のなす角度である係合用折返し片の折返し角度は、タイルの裏面と下側係合溝のなす角度とほぼ同じに形成され、係合用折返し片が下側係合溝に沿うように構成されており、弾接用折返し片と取付具本体のなす角度である弾接用折返し片の折返し角度は、係合用折返し片の折返し角度より大きく形成されており、下側係合溝の下面に弾力的に当接するように構成されていることが好ましい。
【００２９】
上側係合溝と下側係合溝は、それぞれタイルの裏面から斜め上方に向け傾斜して深くなるように形成されており、上側係合部は、取付具本体の上端部が上下方向に切り込みが入れられ、さらに斜め上方に向けて屈曲されて形成された係合用傾斜片と弾接用傾斜片から成り、係合用傾斜片と取付具本体の上方への延長線のなす角度である係合用傾斜片の傾斜角度は、タイルの裏面と上側係合溝のなす角度とほぼ同じに形成され、係合用傾斜片が上側係合溝に沿うように構成されており、弾接用傾斜片と取付具本体の上方への延長線のなす角度である弾接用傾斜片の傾斜角度は、係合用傾斜片の傾斜角度より大きく形成されており、上側係合溝の下面に弾力的に当接するように構成されており、下側係合部は、取付具本体の下端部が、斜め上方に向けてフック状に折り返されて形成された折返し片から成ることが好ましい。
【考案の効果】
【００３０】
本考案に係るタイルの取付部材によれば次のような効果が生じる。
（１）タイルに複雑な加工をすることなく、しかも高価な工具や部品等を使用することなく、簡単な作業で、容易にタイルを建物の構造壁面に、安価で簡単に固定することができる。
【００３１】
（２）タイルの面積が大きくなっても、タイル取付具を数多く使用することなく、タイルを、タイル取付具及び取付板を介して、建物の構造壁面に、緩みやガタが生じることなく、強固に固定することができる。
【図面の簡単な説明】
【００３２】
【図１】本考案に係るタイルの取付部材の実施例１を示す図であり、（ａ）は全体構成を示し、（ｂ）、（ｃ）は要部を説明する図である。
【図２】上記実施例１のタイルの取付部材の取付板を示す図であり、（ａ）及び（ｂ）斜視図及び断面図である。
【図３】上記実施例１のタイルの取付部材のタイル取付具を示す図であり、（ａ）は構造壁面側から見た裏面図であり、（ｂ）側面図あり、（ｃ）、（ｄ）は要部を説明する（ｂ）の要部拡大図である。
【図４】上記実施例１のタイルの取付部材で建物の構造壁面に固定されるタイルを説明する図であり、（ａ）は断面図であり、（ｂ）、（ｃ）は要部を説明する拡大図であり、（ｄ）はタイルの裏面に複数の係合溝を設けた構成例を説明する図である。
【図５】本考案に係るタイルの取付部材の実施例２を示す図であり、（ａ）は全体構成を示し、（ｂ）、（ｃ）は要部を説明する図である。
【図６】上記実施例２のタイル取付具を示す図であり、（ａ）はタイル側から見た正面図であり、（ｂ）側面図あり、（ｃ）は（ｂ）の要部を説明する拡大図であり、（ｄ）は（ａ）のＤ−Ｄ断面図であり、（ｅ）は（ａ）のＥ−Ｅ断面図である。
【図７】上記実施例２のタイルの取付部材で建物の構造壁面に固定されるタイルを説明する図であり、（ａ）は断面図であり、（ｂ）、（ｃ）は要部を説明する（ａ）の要部拡大図であり、（ｄ）はタイルの裏面に複数の係合溝を設けた構成例を説明する図である。
【図８】上記実施例２の変形例を説明する図であり、（ａ）はタイル側から見た正面図であり、（ｂ）は側面図であり、（ｃ）は（ａ）のＣ−Ｃ断面図であり、（ｄ）は（ａ）のＤ−Ｄ断面図である。
【考案を実施するための形態】
【００３３】
本考案に係るタイルの取付部材を実施するための形態を実施例に基づき図面を参照して、以下説明する。
【実施例】
【００３４】
（実施例１）
本考案に係るタイル取付部材の実施例１を図１〜図４で説明する。図１は、実施例１のタイル取付部材４を使用した取付構造１の全体構成を説明する図である。
【００３５】
タイル取付部材４は、図１に示すように、建物の構造壁面２にねじ、ボルト等の固定具３で固定された取付板６と、タイル７の裏面１２に形成された係合溝８に係合して取り付けられるタイル取付具１１とを有する。
【００３６】
タイル７の裏面１２に係合して取り付けられたタイル取付具１１を、取付板６に引っ掛けることで、タイル７が建物の構造壁面２に固定して、タイルの取付構造１を構成する。
【００３７】
取付板６は、図２（ａ）、（ｂ）に斜視図及び断面図を示すように、全体的には長尺状の板材から成り、その材料は、鉄等の金属材、樹脂材等が利用される。取付板６の下端には、上方に折り返された受け部１３が、取付板６の下縁に沿って形成されている。
【００３８】
また、取付板６には、上下方向に長い長孔１６が形成されている。この長孔１６を通してねじ等の固定具３が挿通されて、取付板６は建物の構造壁面２に固定される。
【００３９】
タイル取付具１１は、タイル７の裏面１２に形成された１又は複数の係合溝８（図４（ｄ）参照）に応じて、１又は複数設けられている。タイル取付具１１は、図３（ａ）、（ｂ）に正面図（建物の構造壁面側から見た図）及び側面図を示すが、タイル取付具本体１７とフック部１８から構成される。
【００４０】
タイル取付具本体１７は、図３（ａ）に示すように、全体の平面形状が矩形である。タイル取付具本体１７の上端部には、上側係合部２１が形成されている。上側係合部２１は、図３（ｂ）に示すように、タイル取付具７を起立した状態で、タイル側（フック部１８と反対側）の斜め上方に傾斜して伸びるように屈曲された傾斜部から成る。
【００４１】
図３（ｃ）に示すように、上側係合部２１が、タイル取付具本体１７の垂直部２２の延長線２３となす角度θは鋭角に形成されている。この実施例では例えば、θ＝４５°とする。換言すると、上側係合部２１とタイル取付具本体１７の垂直部２２とのなす角度（１８０°−θ）は１３５°の傾斜角度をなすように形成されている。
【００４２】
図１（ｂ）、図３（ｃ）に示すように、タイル取付具本体１７の垂直部２２から上側係合部２１の先端までの水平距離ｓは、この実施例では例えば、４．６ｍｍで形成されている。
【００４３】
タイル取付具本体１７の下端部には下側係合部２６が形成されている。下側係合部２６は、図３（ｄ）に示すように、タイル取付具本体１７の垂直部２２に対してタイル側に９０°で屈曲された水平部２４と、水平部２４がさらに上方に９０°で屈曲された垂直部２５とから構成されている。
【００４４】
この実施例１では例えば、下側係合部２６の水平部２４の折り返し幅ｄは４．６ｍｍで形成されており、下側係合部２６の垂直部２５の折り返し幅ｈは２．８ｍｍで形成されている。
【００４５】
取付具１１のフック部１８は、図３（ｂ）に示すように、固定部３１、水平部３２及び垂直部３３から成り、全体形状は、正面視で矩形をしており、断面形状がクランク状に形成されている。
【００４６】
タイル取付具本体１７の正面に、フック部１８の固定部３１がスポット溶接で固定されている。図３（ａ）、（ｂ）において、３６はスポット溶接部を示す。このような固定手段としては、カシメやボルト等を使用してもよい。
【００４７】
ところで、上記従来技術として挙げた引用文献１１、１２では、フック部１８の横幅はタイル取付具本体と略同幅である。しかしながら、本考案の特徴的構成は、フック部１８の横幅ｗを、タイル取付具本体１７の横幅ｍより大きくした点である。ここで、フック部１８の横幅ｗとは、フック部１８を取付板に引っ掛けた時、正面視して水平左右方向の長さを言う。
【００４８】
フック部１８をこのような構成とすると、フック部１８の垂直部１３は取付板６の受け部１３に横幅方向により長く受け入れられ、より強固に支持される。その結果、タイル７及びタイル取付具本体１７は、より安定して取付板６を介して建物の構造壁面２に固定される。
【００４９】
また、本考案のフック部１８は、タイル７に対して、その横幅方向により広く当接可能であり、１つのタイル７に対して、横幅方向に複数のタイル取付部材４を設ける場合でも、その数を少なくすることが可能となる。
【００５０】
図４は、タイル７の裏面１２に形成された係合溝８を説明する図である。タイル７の裏面１２に形成された係合溝８は、タイル７の横幅方向に伸びるように形成されており、図４（ａ）に示すように、互いに上下方向に間隔をおき、横幅方向に伸びるように形成された上側係合溝４２及び下側係合溝４３の組み合わせから成る。
【００５１】
上側係合溝４２及び下側係合溝４３の組み合わせから成る係合溝８は、１つのタイル７の裏面１２に、そのタイル７の大きさに応じて、１又は複数（図４（ｄ）に示す例では４つ）形成されている。上側係合溝４２及び下側係合溝４３は、それぞれタイル取付具１１の上側係合部２１及び下側係合部２６に係合するように形成されている。
【００５２】
上側係合溝４２は、その断面の拡大図を図４（ｂ）に示すが、タイル７が建物の構造壁面２に垂直に固定された状態で、タイル７の裏面１２から斜め上方に向け傾斜して深くなるように形成されている。
【００５３】
即ち、上側係合溝４２は、タイル取付具１１の上側係合部２１と同方向となるように、上側係合溝４２と、上側係合溝４２の開口上側におけるタイル７の裏面１２とのなす角度θ'Ｈ を鋭角に形成し、角度θ'Ｈ は、タイル取付具本体１７の垂直部２２の延長線２３となす角度θ（図３（ｃ）参照）と同じとする。 
【００５４】
この実施例では例えば、θ'Ｈ ＝４５°とする。換言すると、上側係合溝４２は、上側係合溝４２の開口下側におけるタイル７の裏面１２に対して１８０°−４５°＝１３５°の角度で、斜め上方に向けて傾斜して形成されている。
【００５５】
上側係合溝４２の最深部４６とタイル７の裏面１２との間隔ｓ’は、タイル７の大きさ、厚さ、重量等によって適宜設計される事項である。例えば、タイル７の寸法（横、縦、厚さ）が３００×３００×１０ｍｍの場合は、間隔ｓ’は５ｍｍとする。
【００５６】
この上側係合溝４２の最深部４６とタイル７の裏面１２との間隔ｓ’は、タイル取付具本体１７の垂直部２２から上側係合部２１の先端までの水平距離ｓ（＝４．６ｍｍ）より大きく形成されている（図１（ｂ）、図３（ｃ）参照）。
【００５７】
下側係合溝４３は、その断面図の拡大図を図４（ｃ）に示すように、斜め上方に向け傾斜した傾斜上面５１と、水平下面５２と、下側係合溝４３の最奥部に位置する垂直面５３とを備え、全体の断面形状が台形に形成されている。
【００５８】
傾斜上面５１は、上側係合部２１と同様に、タイル７が建物の構造壁面２に垂直に固定された状態で、タイル７の裏面１２に対して斜め上方に向けて傾斜面として形成されている。
【００５９】
即ち、傾斜上面５１とタイル７の裏面１２のなす角度θ'Ｌ は鋭角に形成され、角度θ'Ｌ は上記角度θ'Ｈ と同じ大きさに形成されており、例えばθ'Ｌ＝４５°とする。水平下面５２は、タイル７の裏面１２に対して９０°の角度で、水平面として形成されている。
【００６０】
下側係合溝４３の垂直面５４とタイル７の裏面１２との間隔ｄ’は、上側係合溝４２のｓ'の場合と同様に、タイル７の大きさ、厚さ、重量等によって適宜設計される事項である。
【００６１】
例えば、タイル７の寸法（横、縦、厚さ）が３００×３００×１０ｍｍの場合は、下側係合溝４３の垂直面５４とタイル７の裏面１２との間隔ｄ’は５ｍｍとする。この間隔ｄ’は、タイル取付具１１の下側係合部２６の水平部２４の折り返し幅ｄ（＝４．６ｍｍ）より大きく形成されている（図１（ｃ）参照）。 
【００６２】
下側係合溝４３がタイル７の裏面１２に開口している開口４４の上下幅ｈ’は、タイル取付具１１の下側係合部２６の垂直部２５の上下幅ｈ（＝２．６ｍｍ）より大きく形成されている。それにより、タイル取付具１１の下側係合部２６が下側係合溝４３に挿入可能となる（図１（ｃ）参照）。
【００６３】
本考案に係るタイルの取付構造においては、下側係合溝４３内にタイル取付具１１の下側係合部２６を挿入した後、タイル取付具１１の下側にバネを配設して下方から弾圧する構成としてもよい。このバネとしては、板バネ、圧縮コイルバネ等を使用する。
【００６４】
本考案に係るタイルの取付部材４は、以上のとおりであるが、このタイルの取付部材４を使用してタイルを構造壁に取り付けるタイルの取付構造１について、その施工方法とともに説明する。
【００６５】
タイル７を建物の構造壁面２に取り付ける施工に際しては、まず、取付板６を建物の構造壁面２にねじ等の固定具３で固定する。この固定に際して、図示はしないが、弾性を有するスペーサを取付板６と建物の構造壁面２の間に介装して、複数の取付板６のタイル側の面が均一に整列するようにすることが好ましい。
【００６６】
そして、タイル取付具１１の上側係合部２１及び下側係合部２６を、それぞれタイル７の上側係合溝４２及び下側係合溝４３に係合する。この係合に際しては、タイル取付具１１の下側係合部２６を開口４４から下側係合溝４３内に挿入してから、タイル取付具１１を上方にずらして上側係合部２１を上側係合溝４２に挿入する。
【００６７】
このようにタイル取付具１１の上側係合部２１及び下側係合部２６を、それぞれタイルの上側係合溝４２及び下側係合溝４３に係合してから、板バネ（図示せず）を下側係合部２６の水平部２４とタイル７の下側係合溝４３の水平下面５２との隙間に装着する。すると、板バネによって、タイル取付具１１は上方に付勢される。
【００６８】
上記のとおり、タイル取付具１１をタイル７に係合して取り付けると、板バネによって、上側係合部２１は上側係合溝４２の傾斜上面４８に向けて付勢され、下側係合部２６の垂直部２５は下側係合溝４３の傾斜上面５１に向けて付勢される。
【００６９】
その結果、タイル取付具１１はタイル７の係合溝８に確実に係合して取り付けられ、タイル取付具１１をタイル７の裏面１２から引きはがすように引いても取り外すことができなくなる。
【００７０】
なお、タイル取付具１１の上側係合部２１及び下側係合部２６を、それぞれタイル７の上側係合溝４２及び下側係合溝４３に係合した状態では、上側係合部２１の先端部と上側係合溝４２の最深部４６は当接することなく隙間を残しており余裕がある。また、下側係合部２６の垂直部２５と下側係合溝４３の垂直面５４は当接することなく隙間を残しており余裕がある。 
【００７１】
タイル取付具１１をタイル７からはずす場合は、タイル取付具１１を、いったん板バネに抗して下方に引き下げ、外側に引けばよい。
【００７２】
以上のとおり、タイル取付具１１の上側係合部２１及び下側係合部２６を、それぞれタイル７の上側係合溝４２及び下側係合溝４３に係合して、タイル７にタイル取付具１１を取り付けてから、タイル取付具１１のフック部１８を、取付板６の受け部１３に挿入して係止する。これによって、タイル７及びタイル取付具１１を取付板６に装着し、タイル７を建物の構造壁面２に固定することができる。
【００７３】
上側係合溝４２及び下側係合溝４３は斜め上方に傾斜して形成されているので、タイル７はその自重によって、タイル取付具１１の上側係合部２１及び下側係合部２６に対して、下方かつタイル取付具１１側に相対的にずれて移動する力が作用し、タイル７はタイル取付具１１側に押しつけられるようなり、しかも上側係合部２１及び下側係合部２６と上側係合溝４２及び下側係合溝４３の係合を確実にして、タイル７が建物の構造壁面２から外れにくくなり、しっかりと取り付けられる。
【００７４】
ところで、上側係合溝４２の最深部４６とタイル７の裏面１２との間隔ｓ’は、タイル取付具本体１７の垂直部２２から上側係合部２１の先端までの水平距離ｓより大きく形成されている。また、下側係合溝４３の垂直面５４とタイル７の裏面１２との間隔ｄ’は、取付具の下側係合部２６の水平部２４の折り返し幅ｄより大きく形成されている。
【００７５】
従って、上記のとおり、タイル７はその自重で、タイル取付具１１の上側係合部２１及び下側係合部２６に対して、下方かつタイル取付具１１側に相対的にずれて移動する力が作用し、タイル７はタイル取付具１１側に押しつけられても、上側係合部２１及び下側係合部２６が、上側係合溝４２の最深部４６及び下側係合溝４３の垂直面５４に突き当たって押しつけられるようなことは生じない。
【００７６】
（実施例２）                     
本考案に係るタイル取付部材の実施例２を図５〜図７で説明する。実施例２において、実施例１と同じ構成部分については同じ符号を使用する。図５（ａ）は、実施例２のタイル取付部材４の全体構成を説明する図である。
【００７７】
タイル取付部材４は、実施例１と同様に、タイル取付部材４は、図５に示すように、建物の構造壁面２にねじ、ボルト等の固定具３で固定された取付板６と、タイル７の裏面１２に形成された係合溝８に係合して取り付けられるタイル取付具１１とを有する。取付板６は、図２に示す実施例１の取付板６と同じ構成である。
【００７８】
タイル取付具１１は、タイル７の裏面１２に形成された１又は複数の係合溝８（図７（ｄ）参照）に応じて、１又は複数設けられている。タイル取付具１１は、図６（ａ）、（ｂ）に正面図（タイル側から見た正面図）及び側面図を示すが、タイル取付具本体１７とフック部１８から構成される。
【００７９】
タイル取付具本体１７は、ステンレス等の金属材料で製造し、図６（ａ）に示すように、全体の平面形状が矩形である。タイル取付具本体１７の上端部には、上側係合部２１が形成されている。
【００８０】
上側係合部２１は、図６（ｂ）、（ｃ）に示すように、タイル取付具７を起立した状態で、タイル側（フック部１８と反対側）の斜め上方に傾斜して伸びるように屈曲された（曲げられた）傾斜片から成る。
【００８１】
図６（ｃ）に示すように、上側係合部２１は、タイル取付具本体１７の垂直部２２の上方への延長線２３となす傾斜角度βは鋭角に形成されている。この実施例では例えば、β＝４５°とする。換言すると、上側係合部２１とタイル取付具本体１７の垂直部２２とのなす角度（１８０°−β）は１３５°の傾斜角度をなすように形成されている。
【００８２】
図５（ｂ）、図６（ｃ）に示すように、タイル取付具本体１７の垂直部２２から上側係合部２１の先端までの水平距離ｓは、例えば、４．６ｍｍで形成されている。
【００８３】
タイル取付具本体１７の下端部には下側係合部２６が形成されている。下側係合部２６は、図６（ａ）、（ｂ）に示すように、全体的には、タイル取付具本体１７の垂直部２２に対して鋭角をもってフック状にタイル側上方に曲げられて折り返された複数の折返し片から構成されている。
【００８４】
具体的には、下側係合部２６は、その横幅方向に間隔をおいて、タイル取付本体１７の下端部に下端から上方に向けて縦方向に複数本の切り込み２７が入れられ、さらにタイル側上方にフック状に曲げられて折り返されて形成された複数の折返し片から構成されている。
【００８５】
本実施例２では下側係合部２６は、図６（ａ）、（ｂ）に示すように、タイル取付本体１７の下端部に下端から上方に向けて縦方向に切り込み２７が２本入れられ、さらにタイル側上方に曲げられて折り返されて形成された、左右の係合用折返し片２８と中央の弾接用折返し片２９の計３つの折返し片が形成されている。 
【００８６】
左右の係合用折返し片２８は、後記するタイルの下側係合溝４３に沿うように下側係合溝４３の後記する角度θ（例えば４５°）とほぼ同じ大きさの折返し角度αで折り返されており（図６（ｄ）参照）、中央の弾接用折返し片２９は、左右の係合用折返し片２８の折返し角度αより大きな折返し角度α’で折り返されている（図６（ｅ）参照）。
【００８７】
このような構成によって、後記するが、中央の弾接用折返し片２９はバネとしての機能を発揮し、図５（ｃ）に示すように、タイルの下側係合溝４３の傾斜下面５０に弾力的に当接して、タイル取付具本体１７を上方に弾力的に付勢し、タイル取付具本体１７の取付の安定性を良くするとともに、横幅方向のずれ止めとなる。
【００８８】
なお、下側係合部２６に入れられた切り込み２７は、２本でなくて、３本以上であってもよいが、下側係合溝４３に沿うように形成された１又は２以上の係合用折返し片（折返し角度がαの折返し片）の合計横幅は、下側係合溝４３の下面に弾接する１又は２以上の弾接用折返し片（折返し角度がαより大きいα’の折返し片）の合計横幅より大きくなるように形成する。要するに、下側係合部２６においては、係合用折返し片２８が主な構成要素であって、弾接用折返し片２９は、バネ機能を付すための補助的な構成要素である。
【００８９】
また、複数の折返し片は、折返し角度がαの係合用折返し片２８と折返し角度がαより大きいα’の弾接用折返し片２９が、下側係合部２６の横幅方向に交互に形成されていることが好ましい。
【００９０】
取付具１１のフック部１８は、実施例１と同じ構成であり、図６（ａ）に示すように、正面視すると、その横幅ｗ（フック部１８を正面視して横幅左右方向の長さ）を、実施例１と同様に、タイル取付具本体１７の横幅ｍより大きくした。このようにしたことによる作用効果は、実施例１と同じである。
【００９１】
図７は、タイル７の裏面１２に形成された係合溝８を説明する図である。タイル７の裏面１２に形成された係合溝８は、タイル７の横幅方向に伸びるように形成されており、図７（ａ）に示すように、互いに上下方向に間隔をおき、横幅方向に伸びるように形成された上側係合溝４２及び下側係合溝４３の組み合わせから成る。
【００９２】
上側係合溝４２及び下側係合溝４３の組み合わせから成る係合溝８は、１つのタイル７の裏面１２に、そのタイル７の大きさに応じて、１又は複数（図７（ｄ）に示す例では４つ）形成されている。上側係合溝４２及び下側係合溝４３は、それぞれタイル取付具１１の上側係合部２１及び下側係合部２６が挿入されて係合するように形成されている。
【００９３】
上側係合溝４２は、その断面の拡大図を図７（ｂ）に示すが、タイル７が建物の構造壁面２に垂直に固定された状態で、タイル７の裏面１２から斜め上方に向け傾斜して深くなるように形成されている。
【００９４】
即ち、上側係合溝４２は、タイル取付具１１の上側係合部２１と同方向となるように、上側係合溝４２と、上側係合溝４２の開口上側におけるタイル７の裏面１２とのなす角度θを鋭角に形成し、この角度θは、上側係合部２１の傾斜角度β（上側係合部２１がタイル取付具本体１７の垂直部２２の延長線２３となす傾斜角度（図６（ｃ）参照））とほぼ同じとする。 
【００９５】
この実施例では、例えばθ＝４５°とする。換言すると、上側係合溝４２は、上側係合溝４２の開口下側におけるタイル７の裏面１２に対して１８０°−４５°＝１３５°の角度で、斜め上方に向けて傾斜して形成されている。
【００９６】
上側係合溝４２の最深部４６とタイル７の裏面１２との間隔ｓ’は、タイル７の大きさ、厚さ、重量等によって適宜設計される事項である。例えば、タイル７の寸法（横、縦、厚さ）が３００×３００×１０ｍｍの場合は、間隔ｓ’は５ｍｍとする。
【００９７】
この上側係合溝４２の最深部４６とタイル７の裏面１２との間隔ｓ’は、タイル取付具本体１７の垂直部２２から上側係合部２１の先端までの水平距離ｓ（＝４．６ｍｍ）より大きく形成されている（図５（ｂ）、図６（ｃ）参照）。
【００９８】
下側係合溝４３は、その断面図の拡大図を図７（ｃ）に示すように、上側係合溝４２と同様に、タイル７が建物の構造壁面２に垂直に固定された状態で、タイル７の裏面１２から斜め上方に向け傾斜して深くなるように形成されている。
【００９９】
下側係合溝４３の傾斜する角度は、即ち、傾斜上面５１とタイル７の裏面１２のなす角度θは、上側係合溝４２の角度θと同じ大きさで形成されており、例えばθ＝４５°とする。この角度θは、下側係合部２６の係合用折返し片２８の折返し角度αとほぼ同じように形成する。
【０１００】
上側係合溝４２及び下側係合溝４３は、それぞれ図示はしないが、円盤ディスクカッターを、その刃をタイル７の裏面１２に斜め上方に入れて回転切削して形成する。
【０１０１】
実施例２のタイル取付具１１等は以上のとおりであるが、このタイル取付具１１を使用したタイルの取付構造１について、その施工方法とともに説明する。タイル７を建物の構造壁面２に取り付ける施工に際しては、まず、取付板６を建物の構造壁面２にねじ等の固定具３で固定する。
【０１０２】
そして、タイル取付具１１の上側係合部２１及び下側係合部２６を、それぞれタイル７の上側係合溝４２及び下側係合溝４３に挿入して係合させる。すると、下側係合部２６の弾接用折返し片２９はバネとしての機能を発揮し、タイル７の下側係合溝４３の傾斜下面５０に弾力的にて当接して、タイル取付具本体１７を上方に向けて付勢する。
【０１０３】
そのため、下側係合部２６の折返し片２８は、下側係合溝４３の傾斜上面５１に向けて付勢され、上側係合部２１は上側係合溝４２の傾斜上面４８に向けて付勢される。その結果、タイル取付具１１は、タイル７の係合溝８に確実に係合して取り付けられ、タイル取付具１１をタイル７の裏面１２から引きはがすように引いても取り外すことができなくなる。
【０１０４】
このようにして、タイル７へのタイル取付具１１の安定した装着できる。また、タイル７に対してタイル取付具１１の横幅方向の相対的なずれ止めの効果が生じる。なお、タイル取付具１１をタイル７からはずす場合は、タイル取付具１１を、いったん中央の弾接用折返し片２９の弾力に抗して下方に引き下げ、外側に引き出せばよい。
【０１０５】
以上のとおり、タイル取付具１１の上側係合部２１及び下側係合部２６を、それぞれタイル７の上側係合溝４２及び下側係合溝４３に係合させることで、タイル７にタイル取付具１１を取り付けてから、タイル取付具１１のフック部１８を、取付板６の受け部１３に挿入して係止する。これによって、タイル７及びタイル取付具１１を取付板６に装着し、タイル７を建物の構造壁面２に固定することができる。
【０１０６】
上側係合溝４２及び下側係合溝４３は斜め上方に傾斜して形成されているので、タイル７はその自重によって、タイル取付具１１の上側係合部２１及び下側係合部２６に対して、下方かつタイル取付具１１側に相対的にずれて移動する力が作用し、タイル７はタイル取付具１１側に押しつけられるようなり、しかも上側係合部２１及び下側係合部２６と、上側係合溝４２及び下側係合溝４３の係合を確実にして、タイル７が建物の構造壁面２から外れにくくなり、しっかりと取り付けられる。
【０１０７】
ところで、上側係合溝４２の最深部４６とタイル７の裏面１２との間隔ｓ’は、タイル取付具本体１７の垂直部２２から上側係合部２１の先端までの水平距離ｓより大きく形成されている（図５（ｂ）参照）。また、下側係合溝４３の最深部５３とタイル７の裏面１２との間隔ｄ’は、取付具の下側係合部２６の先端までの水平距離ｄより大きく形成されている（図５（ｃ）参照）。
【０１０８】
従って、上記のとおり、タイル７はその自重で、タイル取付具１１の上側係合部２１及び下側係合部２６に対して、下方かつタイル取付具１１側に相対的にずれて移動する力が作用し、タイル７はタイル取付具１１側に押しつけられても、上側係合部２１及び下側係合部２６が、上側係合溝４２の最深部４６及び下側係合溝４３の最深部５３に突き当たって押しつけられるようなことは生じない。
【０１０９】
（実施例２の変形例）
図８（ａ）〜（ｄ）は、本考案に係るタイルの取付部材の実施例２の変形例を説明する図である。この変形例のタイル取付具８１は、実施例２のタイル取付具１１とほぼ同じ構成であるが、実施例２と異なり、図８（ａ）、（ｂ）に示すように、下側係合部８２は単に斜め上方にフック状に折り返され折返し片として形成されているだけで、切り込みは入れられていない。
【０１１０】
しかし、上側係合部８３に切り込み２７が２本入れられ、さらにタイル側に向けて屈曲され、タイル側の斜め上方に向かうように形成されており、これによって、上側係合部８３は、左右の係合用傾斜片８６と中央の弾接用傾斜片８７の計３つの傾斜片が形成されている。 
【０１１１】
左右の係合用傾斜片８６は、図８（ｃ）に示すように、その取付具本体１７の上方への延長線２３に対する傾斜角度βは、タイル７の裏面１２に対する上側係合溝４２の深さ方向のなす角度θ（例えば、４５°）とほぼ同じ大きさで形成され、上側係合溝４２に沿うように形成されている。
【０１１２】
一方、中央の弾接用傾斜片８７は、図８（ｄ）に示すように、その取付具本体１７の上方への延長線２３に対する傾斜角度β’は、左右の係合用傾斜片８６の傾斜角度βより大きく形成されている。
【０１１３】
このような構成によって、変形例のタイル取付具８１は、実施例２と同様にタイル７に取り付ける際に、上側係合部８３を上側係合溝４２に挿入すると、左右の係合用傾斜片８６は、タイル７の上側係合溝４２に沿うよう挿入され、中央の弾接用傾斜片８７が上側係合溝４２の傾斜下面４９に弾力的に当接して挿入され、タイル取付具を上方へ付勢し、実施例２と同様に、タイル取付具８１はしっかりとタイル７に取り付けられる。
【０１１４】
以上、本考案に係るタイル取付け部材を実施するための形態を実施例に基づいて説明したが、本考案はこのような実施例に限定されるものではなく、実用新案登録請求の範囲に記載された技術的事項の範囲内でいろいろな実施例があることは言うまでもない
【産業上の利用可能性】
【０１１５】
上記構成の本考案に係るタイルの取付部材は、建物の構造壁面に固定される各種のタイル、サイディングボード等の外装部材、屋根部材等の取付のためにも適用可能である。
【符号の説明】
【０１１６】
１  タイルの取付構造                                
２  建物の構造壁面                                  
３  固定具（ねじ、ボルト等）
４  タイル取付け部材                              
６  取付板                                          
７  タイル                                          
８  係合溝                                          
１１  タイル取付具                                  
１２  タイルの裏面                                  
１３  取付板の受け部                                
１６  取付板の長孔                                  
１７  タイル取付具本体                              
１８  タイル取付具のフック部                        
２１  タイル取付具本体の上側係合部                  
２２  タイル取付具本体の垂直部                      
２３  タイル取付具本体の垂直部の延長線              
２４  下側係合部の水平部                      
２５  下側係合部の垂直部                      
２６  タイル取付具本体の下側係合部                  
２７  切り込み                                  
２８  左右の係合用折返し片                      
２９  中央の弾接用折返し片                      
３１  フック部の固定部                              
３２  フック部の水平部                              
３３  フック部の垂直部                              
３４  フック部の垂直部の係合部（上方折返し部）  
３５  フック部の角部                            
３６  スポット溶接部                                
４２  タイルの上側係合溝                            
４３  タイルの下側係合溝                            
４４  タイルの下側係合溝の開口                      
４６  上側係合溝の最深部                            
４８  上側係合溝の傾斜上面
４９  上側係合溝の傾斜下面                        
５０  タイルの下側係合溝の傾斜下面                     
５１  タイルの下側係合溝の傾斜上面                  
５２  タイルの下側係合溝の水平下面                  
５４  タイルの下側係合溝の垂直面              
５３  タイルの下側係合溝の最深部 
８１  タイル取付具
８２  下側係合部
８３  上側係合部
８６  左右の係合用傾斜片
８７  中央の弾接用傾斜片
【図１】
0003189682.tif 000003
【図２】
0003189682.tif 000004
【図３】
0003189682.tif 000005
【図４】
0003189682.tif 000006
【図５】
0003189682.tif 000007
【図６】
0003189682.tif 000008
【図７】
0003189682.tif 000009
【図８】
0003189682.tif 000010